(57)【要約】      （修正有）【課題】コンテナ型の革新的な構造と真空式収集システムの結合によって、汚水と中水の分離、省エネと排水削減を実現し、都市環境の改善と生活の品質向上に貢献するモジュール化真空衛生システム付きトイレを提供する。【解決手段】コンテナ本体ボックス１を含むモジュール化真空衛生システム付きトイレであって、本体ボックス内の空間が、仕切板５によって汚物収集設備エリア２、複数のトイレ・エリア３及び複数の玄関ポーチ４に仕切られ、トイレ・エリアと玄関ポーチとの間に、円弧形スライドレール付きドア３２が取付けられ、円弧形スライドレール付きドアと本体ボックス前壁との間に、パネルライト４１が斜めに設置され、トイレ・エリアに真空式腰掛便器が取り付けられ、便器内の汚染物が、配管を通じて、汚物収集設備エリアに圧送される。【選択図】図１
0003220712.tif 000002
【実用新案登録請求の範囲】
【請求項１】
コンテナ本体ボックスを含み、本体ボックス内の空間が、仕切板によって汚物収集設備エリア、複数のトイレ・エリア及び複数の玄関ポーチに仕切られ、前記トイレ・エリアと玄関ポーチとの間に、円弧形スライドレール付きドアが取付けられ、前記円弧形スライドレール付きドアと本体ボックス前壁との間に、パネルライトが斜めに設置されており、トイレ・エリアに真空式腰掛便器が取り付けられ、真空式腰掛便器内の汚染物が、配管を通じて、汚物収集設備エリアに圧送されることを特徴とする、モジュール化真空衛生システム付きトイレ。
【請求項２】
前記トイレ・エリア内に、洗面台及び小便器が取り付けられていることを特徴とする請求項1に記載のモジュール化真空衛生システム付きトイレ。
【請求項３】
前記汚物収集設備エリアに、浄水タンクと汚水タンクが設置されており、浄水タンクが、増圧給水ポンプ及び配管を通じて、真空式腰掛便器並びに洗面台及び小便器に接続され、真空式腰掛便器の汚物排出口が、集積型真空ポンプ及び真空配管を通じて、汚水タンクに接続されていることを特徴とする請求項2に記載のモジュール化真空衛生システム付きトイレ。
【請求項４】
集積式真空ポンプ並びに真空式腰掛便器、洗面台及び小便器の間に、真空蓄圧タンクが取り付けられていることを特徴とする請求項3に記載のモジュール化真空衛生システム付きトイレ。
【請求項５】
洗面台及び小便器の排水口と真空蓄圧タンクとの間に、中水タンクが取り付けられていることを特徴とする請求項4に記載のモジュール化真空衛生システム付きトイレ。
【請求項６】
前記浄水タンク及び汚水タンクの内部にレベルスイッチが設置されていることを特徴とする請求項3に記載のモジュール化真空衛生システム付きトイレ。
【請求項７】
前記トイレ・エリアの壁にパネルライトが取り付けられていることを特徴とする請求項1に記載のモジュール化真空衛生システム付きトイレ。
【請求項８】
前記汚物収集設備エリアのコンテナ本体に点検口が設けられ、点検口にシャッターが取り付けられていることを特徴とする請求項1に記載のモジュール化真空衛生システム付きトイレ。
【請求項９】
電気制御ユニットが含まれており、電気制御ユニットの入力端子にレベルスイッチが接続され、電気制御ユニットの出力端子に、増圧給水ポンプ、集積式真空ポンプ、パネルライト並びに真空式腰掛便器、洗面台及び小便器の排水弁と洗浄弁が接続されていることを特徴とする請求項5又は6に記載のモジュール化真空衛生システム付きトイレ。
【請求項１０】
前記電気制御ユニットに無線伝送モジュールが含まれており、液位情報等を遠隔監視装置に転送することができることを特徴とする請求項9に記載のモジュール化真空衛生システム付きトイレ。
【考案の詳細な説明】
【技術分野】
【０００１】
本考案は、移動式トイレの分野に関わり、特にコンテナ構造のモジュール化真空衛生システム付きトイレに関わる。
【背景技術】
【０００２】
僻地・山地、鉱山・油田、建設工事現場、観光・景勝地等を含む、地形が複雑で、上下水道のインフラ整備ができていない地域においては、従来の固定式トイレの建設が難しく、且つ建設コストが非常に高い。移動式モジュール化トイレは、環境条件の制限なく、輸送しやすく、設置も簡単であるため、前記地域での使用に適している。既存のモジュール化コンテナトイレの収集システムは、発泡式、ポリ袋密封式、重力利用下水直結式、高圧空気水洗式と微生物分解式等、従来の収集方式が多用されており、ニオイが酷く、洗浄水量も汚水排出量も大きく、システムの動作が不安定であるといった欠点が見られる。
【０００３】
それと同時に、その不合理な構造設計では、利用可能な空間を最大限に拡張して便器数を増やすことも、汚物収集効率を高め、汲み取り期間を延ばすこともできない。その上、腰掛便器又は小便器の下に、縦方向で配管を設置する必要があり、トイレ床下の構造フレームを大きく上げなければならないため、腰掛便器又は小便器と地面との段差が大きく、ユーザー体験が悪くなり、老人、子供又は障害者の使用に適していない。
【考案の概要】
【考案が解決しようとする課題】
【０００４】
本考案は、既存のコンテナ式モジュール化トイレに見られる、内部構造設計が不合理で、空間利用率が低いという技術的課題について、配置が合理的且つ可変的で、十分な空間利用が可能なモジュール化真空衛生システム付きトイレを考案したものである。
【課題を解決するための手段】
【０００５】
前記目的を達成する為に、本考案に下記技術案を採用する。
【０００６】
コンテナ本体ボックスを含む、一種のモジュール化真空衛生システム付きトイレである。前記本体ボックス内の空間が、仕切板によって汚物収集設備エリア、複数のトイレ・エリア及び複数の玄関ポーチに仕切られ、前記トイレ・エリアと玄関ポーチとの間に、円弧形スライドレール付きドアが取付けられ、前記円弧形スライドレール付きドアと本体ボックス前壁との間に、パネルライトが斜めに設置されており、トイレ・エリアに真空式腰掛便器が取り付けられ、真空式腰掛便器内の汚染物が、配管を通じて、汚物収集設備エリアに圧送される。
【０００７】
好ましくは、前記トイレ・エリア内に、洗面台及び小便器も取り付けられている。
好ましくは、前記汚物収集設備エリアに、浄水タンクと汚水タンクが設置されており、浄水タンクが、増圧給水ポンプ及び配管を通じて、真空式腰掛便器と小便器と洗面台に接続され、真空式腰掛便器の汚物排出口が、集積型真空ポンプ及び真空配管を通じて、汚水タンクに接続されている。
好ましくは、前記集積式真空ポンプと真空式腰掛便器、洗面台及び小便器の間に、真空蓄圧タンクも取り付けられている。
好ましくは、洗面台及び小便器の排水口と真空蓄圧タンクとの間に、中水タンクが取り付けられている。
【０００８】
好ましくは、前記浄水タンク及び汚水タンクの内部にレベルスイッチが設置されている。
好ましくは、前記トイレ・エリアの壁にパネルライトが取り付けられている。
好ましくは、前記汚物収集設備エリアのコンテナ本体に点検口が設けられ、点検口にシャッターが取り付けられている。
【０００９】
好ましくは、電気制御ユニットが含まれており、電気制御ユニットの入力端子にレベルスイッチが接続され、電気制御ユニットの出力端子に、増圧給水ポンプ、集積式真空ポンプ、パネルライト及び真空式腰掛便器、小便器、洗面台の排水弁と洗浄弁が接続されている。
好ましくは、前記電気制御ユニットに無線伝送モジュールも含まれており、液位情報等を遠隔監視装置に転送することができる。
【考案の効果】
【００１０】
考案の利点及び効果は、下記の通りである。
1、コンテナ型の鋼構造を採用し、移動に便利で、道路、鉄道と船舶等の現代輸送手段に適しており、且つ安全で堅固である。
2、本体ボックス内の空間分割が合理的且つ可変的で、タイプによっては、トイレ内部の利用可能な空間を最大限に増やすことができる。
【００１１】
3、汚物収集に真空衛生システムを使用し、極少量な浄水で便器を洗浄する。洗浄水を最大限に節約するとともに90%の汚水量を減らし、汚水タンクの汲み取り期間を大きく延ばすことができる。
【００１２】
4、本考案は、コンテナ型の革新的な構造と真空式収集システムの結合によって、汚水と中水の分離、省エネと排水削減を実現し、都市環境の改善と生活の品質向上に貢献するものである。
【図面の簡単な説明】
【００１３】
【図１】は、本考案におけるモジュール化真空衛生システム付きトイレの外部構造模式図である；
【図２】は、本考案におけるモジュール化真空衛生システム付きトイレの全体構造模式図である；
【図３】は、本考案におけるモジュール化真空衛生システム付きトイレの原理図である；
【図４】は、本考案におけるモジュール化真空衛生システム付きトイレの電気制御ブロック図である。
【考案を実施するための形態】
【００１４】
本考案がより良く理解できるように、添付図及び実施例を参照しながら具体的に説明する。
【００１５】
実施例：図1−３で示すように、モジュール化真空衛生システム付きトイレは、コンテナ本体ボックス１を含む。本体ボックス１は、コンテナフレームと鋼板を溶接することによって製作され、その基本構造と品質等が、海上コンテナの規格に適合しており、陸運又は水運等のさまざまな輸送方式に適している。前記本体ボックス１内のスペースは、仕切板5によって、本体ボックス1の後部にある汚物収集設備エリア2及び本体ボックス１中部にある複数のトイレ・エリア3に仕切られている。本体ボックス１の前面には玄関ポーチ4があり、トイレ・エリア3は、必要に応じて男性用と女性用、又は男女共用に区分できる。前記トイレ・エリア3と玄関ポーチ4との間の仕切板5に、トイレ出入口31が設置され、トイレ・エリア3の天井にスライドレールが取り付けられ、円弧形スライドレールドア32がスライドレールに吊るされて取り付けられている。円弧形スライドレールドア32が、トイレ出入口31に位置する時、トイレ出入口31が閉じる。円弧形スライドレールドア32は、引き戸又は開き戸に比べて、必要な開閉スペースが小さく、コンテナ内の空間を有効に利用することができる。前記トイレ出入口31の開口枠と本体ボックス１前壁との間に、パネルライト41が取り付けられている；好ましくは、当該パネルライト41は、トイレ出入口31の開口枠よりトイレ出入口31から離れる方向に斜めに取り付けられている。パネルライト41は、二つのトイレ・エリア3の玄関ポーチ4を分割すると同時に、玄関ポーチ4に光源を提供する。パネルライト41が斜めに設置されているため、玄関ポーチ4がより広く利用できる。前記本体ボックス１の側面壁の、玄関ポーチ4に重なる部分は、透明材質が採用され、自然光を有効に利用することができる。前記トイレ・エリア3の壁にアクリル材質のパネルライトが取り付けられている。パネルライトは、壁に組み込まれ、堅牢に取り付けられているため、長距離輸送に適している。前記汚物収集設備エリア2に点検口21が取り付けられ、点検口21に、シャッターが取り付けられている。シャッターを引き上げて開ければ、設備の点検・修理又は汚物処理を行なうことができる。
【００１６】
トイレ・エリア3内に、真空式腰掛便器33が取り付けられており、且つ、必要に応じて、小便器34及び洗面台35等その他の水回り設備が取り付けられている。前記汚物収集設備エリア２に、浄水タンク22及び汚水タンク23が取り付けられている。浄水タンク22は、増圧給水ポンプ25及び配管を通じて、それぞれ真空式腰掛便器33、小便器34と洗面台35に接続され、浄水を提供する。真空式腰掛便器33の汚物排出口が、真空蓄圧タンク27、集積型真空ポンプ26及び真空配管を通じて、汚水タンク23に接続される。集積型真空ポンプ26、洗面台及び小便器34の排水口と真空蓄圧タンク27との間に、中水タンク24が取り付けられている。手洗いの水及び小便器洗浄水は、中水タンク24に一時貯留された後、集積式真空ポンプ26内の汚物の洗浄に使用される。汚水タンク23は、外部の浄化槽等の汚水処理設備に接続されるか、バキュームカーで汚物を回収される。
【００１７】
当該モジュール化真空衛生システムのトイレは、電気制御ユニットを含む。電気制御ユニットの入力端子にレベルスイッチ6が接続され、電気制御ユニットの出力端子に、増圧給水ポンプ25、集積式真空ポンプ26、パネルライト、真空腰掛便器33、小便器34及び洗面台の排水弁と洗浄弁が接続されている（図4参照）。集積式真空ポンプ26は給電されると、内蔵のモータとマセレーターが作動し、発生した真空を密封した真空配管に充満させ、設定値に達した後、使用可能な状態に入る。真空式腰掛便器33、洗面台と小便器34等の水回り設備は、浄水タンク22より浄水を供給され、増圧給水ポンプ25によって、持続的且つ安定した水圧で給水される。洗浄ボタンが押された後、電気制御ユニットが信号を受け取り、水回り設備の排水弁が開き、便器内の汚物が、配管中の真空負圧による巨大な吸引力で配管に吸入され、その直後、洗浄弁が開いて洗浄が行なわれる。汚物は、配管を通じて、真空蓄圧タンク27に入ってから、集積式真空ポンプ26に入り、粉砕された後、汚水タンク23内に圧送される。集積式真空ポンプ26は市販品であり、その具体的な構造は絮説しない。
【００１８】
前記浄水タンク22及び汚水タンク23の内部にレベルスイッチ6が設置されている。前記電気制御ユニットに、無線伝送モジュールも含まれており、液位情報等を、遠隔監視装置に転送することができる。浄水タンク22内の浄水が最低液位より低い時、浄水を注水するよう、汚水タンク23内の汚水が最高液位に達した時に、トイレの使用を停止して汚水を処理するよう注意を喚起することができる。
【００１９】
本実施形態に記載されているモジュール化真空衛生システム付きトイレは、コンテナ型の鋼構造を採用し、移動に便利で、道路、鉄道と船舶等の現代輸送手段に適しているうえ、安全で堅固であり、強い保温、防風、防雪、防火、耐震と耐圧等の性能を有する。本体ボックス１内の空間分割が合理的且つ可変的で、玄関ポーチ4を備えたトイレ出入口31に、弧形スライドレールドアが設置され、タイプによっては、トイレ内部の利用可能な空間を最大限に増やすことができる。玄関ポーチ4は、左/右側に透明な側面板が採用され、アクリル材質のパネルライトが取り付けられている。パネルライトは、玄関ポーチ4の照明である同時に、点灯する場合、トイレが使用中であることを表し；消灯する場合、トイレが空室で利用可能であることを表す。真空衛生システムが搭載され、配管設計が自由で、重力に縛られて下向きに配管する必要はなく、本体ボックス１内の床が地面から僅か１４-１６cm離れていれば使用可能であるため、便利である。各モジュールユニットを、具体的な使用環境に応じて自由に組み合わせることによって、モジュール化コンテナトイレの大型建築群を形成することができ、大型イベントのトイレへのニーズに対応できる。コンテナ型の革新的な構造と真空式収集システムの結合によって、汚水と中水の分離、省エネと排水削減を実現し、都市環境の改善と生活の品質向上に貢献することができる。
【００２０】
上記内容は、本考案の比較的好適な実施形態であるが、本考案の別形態採用への制限を施すものではない。本分野を熟知する如何なる技術者でも、上に掲示した技術内容に対して、変更又はモデルチェンジを行うことによって、均等変化の同効果実施形態にして、他の分野に応用することができる。但し、本考案の技術案内容を逸脱しない範囲で、本考案の技術の本質に基づいて、上記実施形態に対して行なう如何なる簡単な修正、均等変化とモデルチェンジでも、本考案技術案の保護範囲に属する。
【符号の説明】
【００２１】
以上の各図では、1、コンテナ本体ボックス；2、汚物収集設備エリア；21、点検口；22、浄水タンク；23、汚水タンク；24、中水タンク；25、増圧給水ポンプ；26、集積式真空ポンプ；27、真空蓄圧タンク；3、トイレ・エリア；31、トイレ出入口；32、円弧形スライドレールドア；33、真空式腰掛便器；34、小便器；35、洗面台；4、玄関ポーチ；41、パネルライト；5、仕切板；6、レベルスイッチ。
【図１】
0003220712.tif 000003
【図２】
0003220712.tif 000004
【図３】
0003220712.tif 000005
【図４】
0003220712.tif 000006